(57)【要約】【課題】可変速ズームレバーに関して、動画／静止画両モードにおけるそれぞれに適した操作力設定を可能にすること。【解決手段】ズームレバーと同一支点を中心に回転操作を行うズーム荷重設定レバーを配置して動画／静止画モード切替えレバーと兼用し、荷重設定と動画／静止画モード切替えを連動させる。【選択図】図１
2017062283.tif 000002
【特許請求の範囲】
【請求項１】
中立位置を有して所定の支点を軸に揺動するズームレバー機構、前記ズームレバーの角度を検出してカメラのズームスピードを可変する可変速ズームシステム、ズームレバーと同一支点の回転動作によりカメラモード切替え動作を行うカメラモード切替えレバーを有するカメラ操作システムにおいて、
カメラモード切替えレバーのポジションに応じて、ズームレバーの操作力を切替えることを特徴とするカメラ操作システム。
【請求項２】
ズームレバー及びカメラモード切替えレバーと同一支点にシャッターボタン中心を配置したことを特徴とする請求項１に記載のカメラ操作システム。
【請求項３】
カメラモード切替えレバーは、動画／静止画モード切替レバーであることを特徴とする請求項１に記載のカメラ操作システム。
【請求項４】
動画／静止画モード切替レバーが動画ポジション時はズームレバー操作力を重くし、静止画ポジション時はズームレバー操作力を軽くすることを特徴とする請求項３に記載のカメラ操作システム。
【請求項５】
ズームレバーの操作力を切り替える機構は、ズームレバーを付勢するねじりコイルバネの作用点位置が移動することにより、ズームレバーの操作力が切替わることを特徴とする請求項１に記載のカメラ操作システム。
【発明の詳細な説明】
【技術分野】
【０００１】
本発明は、カメラのズームレバー機構に関する。
【背景技術】
【０００２】
従来よりカメラのズームレバーに関しては、操作性をより向上させるため、ズームレバー操作回転角（操作ストローク）が大きくなるほどズームの速度を上げる機能、いわゆる可変速ズームレバーを装備することがある。特許文献１においては、２つの検出手段を用いて可変速ズームレバーを実現している。
【先行技術文献】
【特許文献】
【０００３】
【特許文献１】特開２０１３−４２２０５号公報
【発明の概要】
【発明が解決しようとする課題】
【０００４】
しかしながら、上記方法においては、可変速ズームレバーの操作力は固定のため、各種モードにおけるそれぞれに適した使いやすい可変速ズームレバー操作力設定ができなかった。
【課題を解決するための手段】
【０００５】
上記の課題を解決するために、本発明に係るカメラ操作システムは、以下のような構成とした。
１．ズームレバーと同一支点の回転動作によりカメラモード切替え動作を行うカメラモード切替えレバーを有し、カメラのモード切替えレバーのポジションに応じて、ズームレバーの操作力を切替える構成とした（請求項１）。
２．１におけるズームレバーと同一支点にシャッターボタン中心を配置する構成とした  （請求項２）。
３．１におけるカメラモード切替えレバーを、動画／静止画モード切替レバーとした（請求項３）。
４．３において、動画／静止画モード切替レバーが動画ポジション時はズームレバー操作力を重くし、静止画ポジション時はズームレバー操作力を軽くする構成とした（請求項４）。
５．１において、ズームレバーの操作力を切り替える機構は、ズームレバーを付勢するねじりコイルバネの作用点位置が移動することにより、ズームレバーの操作力が切替わる構成とした（請求項５）。
【発明の効果】
【０００６】
本発明に係るカメラ操作システムによれば、以下のような効果がある。
１．カメラモード切替レバー操作に応じて可変速ズームレバーの操作力を変更できるので、カメラモードにおけるそれぞれに適した使いやすい可変速ズームレバー操作力設定が可能となった。また、ズームレバー回転中心、カメラモード切替レバー回転中心を一致させて配置した上で構成したため、スペース効率を損なわない構成となった（請求項１、  請求項５）。
２．１において、ズームレバー回転中心、カメラモード切替レバー回転中心、更にシャッターボタン中心を一致させて配置した上での構成としたため、スペース効率を損なわない構成となった（請求項２）。
３．１におけるモード切替えレバーを動画／静止画モード切替レバーとした上で、動画ポジション時はズームレバー操作力を重くし、静止画ポジション時はズームレバー操作力を軽く設定した。これにより動画モード時は早いズーミングを行うことによる画像の乱れを防げるとともに、静止画モード時は早いズーミングを行うことによりシャッターチャンスを逃さないという効果がある（請求項３、請求項４）。
【図面の簡単な説明】
【０００７】
【図１】カメラの上面図
【図２】ズームレバー部断面図（図１におけるＡ−Ａ断面）
【図３】ズームレバー動作図（ＷＩＤＥ側）（図２を下（裏面）から見た図）
【図４】ズームレバー動作図（ＴＥＬＥ側）（図２を下（裏面）から見た図）
【図５】動画／静止画切替レバー動作図（静止画側）（図２を下（裏面）から見た図）
【図６】動画／静止画切替レバー動作図（動画側）（図２を下（裏面）から見た図）
【図７】ズームレバー回転角検出部詳細図（図２の回転角検出部（回転角検出基板１１４近傍）を下（裏面）から見た図）
【図８】図７の側面図
【図９】カメラのブロック図
【図１０】フローチャート図
【発明を実施するための形態】
【０００８】
以下に、本発明の好ましい実施の形態を、添付の図面に基づいて詳細に説明する。
【０００９】
［実施例］
以下本発明によるカメラの実施例について説明する。図１はカメラの上面図である。
【００１０】
図１において、１０１はレンズユニット、１０２はカメラ本体外装カバー、１０３はアクセサリーシュー、１０４はズームレバー、１０５は動画／静止画切替レバー、１０６はシャッターボタンである。
【００１１】
ここで、動画／静止画切替レバー１０５は、動画モードと静止画モードを切り替えるズームレバー１０４、シャッターボタン１０６とともに同一回転中心で配置されている。
また、ズームレバー１０４は、未操作状態では図１のように中立位置に固定され、左右矢印方向に回転することによりＴＥＬＥ／ＷＩＤＥ方向への操作が可能となる。ここで本ズームレバー１０４は、回転角が大きい程ズームスピードが上がる、いわゆる可変速ズームとなっている。
【００１２】
更に、動画／静止画切替レバー１０５は、２ポジションスイッチであり、図１のように矢印方向に回転することで、動画モード／静止画モードの切替えを行うことができる。なお、後述する機構により、動画モード／静止画モードの切替えにより、同時にズームレバー１０４の操作力が重／軽切り替わる仕様になっている。
【００１３】
以下、本実施例によるズームレバー１０４周辺の部品構成について説明する。
【００１４】
図２はズームレバー部断面図（図１におけるＡ−Ａ断面）、図３はズームレバー動作図（ＷＩＤＥ側）（図２を下（裏面）から見た図）、図４はズームレバー動作図（ＴＥＬＥ側）（図２を下（裏面）から見た図）である。また、図５は動画／静止画切替レバー動作図（静止画側）（図２を下（裏面）から見た図）、図６は動画／静止画切替レバー動作図（動画側）（図２を下（裏面）から見た図）である。また、図７はズームレバー回転角検出部詳細（図２の回転角検出部（後述する回転角検出基板１１４近傍）を下（裏面）から見た図）、図８は図７の側面図である。
【００１５】
ここで、１０８はシャッタースイッチ、１０９はシャッタースイッチ１０８が搭載されてるシャッタースイッチ基板、１０７はシャッターボタン１０６を上方向に付勢している圧縮コイルばね、１１０はシャッターボタン１０６の軸部を止めている止め輪１である。また、１１１はズームレバー１０４に連動して回転する連動リング、１１２は連動リング１１１を止めている止め輪２、１１３は連動リング１１１から突出して設置されているボス１である。
【００１６】
また、１１４はズームレバー１０４の回転角度を検出するための回転角検出基板、１１５はカメラ本体外装カバー１０２から突出して設置されているボス２、１１６はズームレバー１０４を中立位置に付勢するためのねじりコイルばねである。また、１１７は前記ねじりコイルばね１１６を止めている止めビス、１１８は前記ばね固定軸ねじりコイルばね１１６を固定しているばね固定軸、１１９は前記ばね固定軸１１８を止めている止め輪３、１２０は前記ばね固定軸１１８と勘合しているカム溝である。また、１２１は動画／静止画切替スイッチ、１２２は前記ばね固定軸１１８と勘合して固定軸１１８の前後移動をガイドするためのスリットである。
【００１７】
また、１２３はズームレバー１０４の軸に設けられたキー溝、１２４は連動リング１１１に設けられた突起であり前記キー溝１２３と勘合することにより回転止めとなり、ズームレバー１０４と連動リング１１１は連動して回転することができる。
【００１８】
また、１２５は板金製の回転角検出接点、１２６は回転角検出接点固定部であり、例えば熱カシメ等で連動リング１１１に固定されている。１２７は回転角検出基板に設置された回転角検出パターン（抵抗パターン）であり抵抗を有する特殊パターン。１２８は回転角検出パターン（通常パターン）であり通常の導通パターンである。
【００１９】
次に、図３、図４を用いてズームレバー１０４の動作を説明する。
【００２０】
図３のように、まずズームレバー１０４をＷＩＤＥ側に回転させると、ねじりコイルばね１１６は、片腕をボス２＿１１５で固定されつつ、もう片腕はボス１＿１１３によってばねが広がる方向に移動する。これによりズームレバー１０４は、中立位置方向に戻る方向に付勢される。また、図４のようにズームレバー１０４をＴＥＬＥ側に回転させると、ＷＩＤＥと逆方向の動作が行われる。なお、図５はズーム操作しない状態であり、ズームレバー１０４は中立位置に固定される。
【００２１】
次に、図５、図６を用いて動画／静止画切替レバー１０５の動作を説明する。なお、ここで図５、図６は、両方ともズームレバー１０４が中立位置状態である。
【００２２】
図５のように動画／静止画切替レバー１０５を静止画モード位置に回転させると、ねじりコイルばね１１６はカム溝１２０が図５の位置となり、ねじりコイルばね１１６の腕の先端にボス１＿１１３が当接する状態になる。と同時に動画／静止画切替スイッチ１２１をねじりコイルばね１１６部が押してＯＮとなる。一方図６のように動画／静止画切替レバー１０５を動画モード位置に回転させると、ねじりコイルばね１１６はカム溝１２０が図６の位置となり、ねじりコイルばね１１６の腕の根本側にボス１＿１１３が当接する状態になる。と同時に動画／静止画切替スイッチ１２１は、ねじりコイルばね１１６部から離れてＯＦＦとなる。
【００２３】
これにより、ズームレバー１０４を操作することにより付勢するねじりコイルバネの作用点位置が移動し、静止画モード時はズームレバー１０４操作力が弱く、動画モード時はズームレバー１０４操作力が強くなる。なお、動画／静止画切替レバー１０５は、図指してない板ばね等クリック部材が搭載され、動画／静止画２ポジションに固定される。
【００２４】
次に、図７、図８を用いてズームレバー１０４角度検出手段について説明する。
【００２５】
回転角検出接点１２５は、回転角検出パターン（抵抗パターン）１２７と回転角検出パターン（通常パターン）１２８を導通させるような配置となっている。これにより、上記２パターン間の抵抗が、ズームレバー１０４回転角度に応じて変化する。よって前記抵抗値から回転角を算出することができる。
【００２６】
以下本実施例によるカメラのシステム構成及びシーケンスについて説明する。図９はカメラのブロック図である。ここで、２０１はレンズユニット、２０２は撮像素子、２０３はカメラ制御回路、２０４は画像処理回路、２０５は画像記録回路、２０６はズームレバー操作角度検出手段、２０７は動画／静止画切替スイッチである。
【００２７】
上記構成において、レンズユニット２０１と撮像素子２０２により得られた画像信号は、画像処理回路２０４で画像処理されて画像記録回路２０５に記録される。一方ズームレバー操作角度検出手段２０６により検出された操作角度に応じて、カメラ制御回路２０３がズームの方向とスピードを制御する。また、動画／静止画切替スイッチ２０７に応じてカメラ制御回路２０３が動画モード／静止画モード切替を行う。
【００２８】
図１０は本実施例によるカメラのシーケンスを示すフローチャート図である。以下本フローに沿って動作を説明する。
【００２９】
まず動画／静止画切替スイッチがＯＮになっているかどうかを判断し（Ｓ１０２）、ＯＦＦであれば動画モードに設定（Ｓ１０４）。ＯＮであれば静止画モードに設定する（Ｓ１０３）。このとき前記機構により動画モード時はズームレバーが重くなり、静止画モード時はズームレバーが軽くなる。更にズームレバーの回転角を検出しテレ側に回転しているかどうかを判断し  （Ｓ１０５）、テレ側に回転している場合は回転角に応じたスピードでズームをテレ側に動作させる（Ｓ１０６）。テレ側に回転してない場合はＳ１０７へ進む。
【００３０】
次に、ズームレバーの回転角を検出しワイド側に回転しているかどうかを判断し  （Ｓ１０７）、ワイド側に回転している場合は回転角に応じたスピードでズームをワイド側に動作させる（Ｓ１０８）。ワイド側に回転してない場合はＳ１０２へ進む。
【００３１】
以上のような構成により、動画／静止画切替レバー１０５が動画ポジション時はズームレバー１０４の操作力を重くし、静止画ポジション時はズームレバー１０４の操作力を軽くなるような構成とした。これにより動画モード時は早いズーミングを行うことによる画像の乱れを防げるとともに、静止画モード時は早いズーミングを行うことによりシャッターチャンスを逃さないという効果がある。また、ズームレバー回転中心、各種モード切替レバー回転中心、シャッターボタン中心を一致して配置した上での構成としたため、スペース効率を損なわない構成となっている。
【符号の説明】
【００３２】
１０１  レンズユニット、１０２  カメラ本体外装カバー、
１０３  アクセサリーシュー、１０４  ズームレバー、
１０５  動画／静止画切替レバー、１０６  シャッターボタン、
１０７  圧縮コイルばね、１０８  シャッタースイッチ、
１０９  シャッタースイッチ基板、１１０  止め輪１、１１１  連動リング、
１１２  止め輪２、１１３  ボス１、１１４  回転角検出基板、１１５  ボス２、
１１６  ねじりコイルばね、１１７  止めビス、１１８  ばね固定軸、
１１９  止め輪３、１２０  カム溝、１２１  動画／静止画切替スイッチ、
１２２  スリット、１２３  キー溝、１２４  突起、１２５  回転角検出接点、
１２６  回転角検出接点固定部、１２７  回転角検出パターン（抵抗パターン）、
１２８  回転角検出パターン（通常パターン）、２０１  レンズユニット、
２０２  撮像素子、２０３  カメラ制御回路、２０４  画像処理回路、
２０５  画像記録回路、２０６  ズームレバー操作角度検出手段、
２０７  動画／静止画切替スイッチ
【図１】
2017062283.tif 000003
【図２】
2017062283.tif 000004
【図３】
2017062283.tif 000005
【図４】
2017062283.tif 000006
【図５】
2017062283.tif 000007
【図６】
2017062283.tif 000008
【図７】
2017062283.tif 000009
【図８】
2017062283.tif 000010
【図９】
2017062283.tif 000011
【図１０】
2017062283.tif 000012